【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
ＲＦ信号を、第一の動作周波数を有する第一の基準信号と混合して、第一のＩＦ信号を発生するステップと、
ディジタルインターフェースを使って前記ＲＦ信号の混合のために前記第一の動作周波数の周波数を制御するステップと、
第一のバンドパスフィルタにおいて第一のＩＦ信号を濾波して、少なくとも４つのチャンネルを有する出力通過帯域信号を発生するステップと、
出力通過帯域信号を、第二の動作周波数を有する第二の基準信号と混合して、第二のＩＦ信号を発生するステップとを備え、
前記ＲＦ信号の混合及び前記出力通過帯域信号の混合が、単一集積回路上で実行されることから成る受信ＲＦ信号の処理方法。
【請求項２】
入力カットオフ周波数以上の全ての周波数成分をＲＦ信号から濾波排除するステップをさらに含む請求項１に記載の方法。
【請求項３】
第一の動作周波数が入力カットオフ周波数よりも大きい請求項２に記載の方法。
【請求項４】
ＲＦ信号を第一の基準信号と混合するステップが、ＲＦ信号と第一の基準信号の減算的混合である請求項３に記載の方法。
【請求項５】
ＲＦ信号を第一の基準信号と混合するステップは上昇変換混合であり、ＲＦ信号内の選択キャリア周波数は、第一の所定周波数で第一のＩＦ信号内に現れ、そして、この第一の所定周波数は、選択キャリア周波数よりも高い請求項４に記載の方法。
【請求項６】
第一の所定周波数が、第一のバンドパスフィルタの出力通過帯域信号内に現れる請求項５に記載の方法。
【請求項７】
受信ＲＦ信号から入力カットオフ周波数以上の全ての周波数成分を濾波して、第一の濾波信号を発生するステップと、
この第一の濾波信号を増幅するステップとを、さらに備え、
前記ＲＦ信号と前記第一の基準信号との混合が、増幅された第一の濾波信号を前記第一の基準信号と減算的に混合して前記第一のＩＦ信号を発生することから成る請求項１に記載の方法。
【請求項８】
第一の動作周波数が入力カットオフ周波数よりも大きい請求項７に記載の方法。
【請求項９】
増幅された第一の濾波信号を第一の基準信号と混合するステップが、上昇変換混合であり、前記受信ＲＦ信号内の選択キャリア信号が、第一の所定周波数で第一のＩＦ信号内に現れ、そして、前記第一の所定周波数が選択キャリア周波数よりも高い請求項８に記載の方法。
【請求項１０】
選択キャリア信号が、第一の所定周波数で出力通過帯域信号内に現れる請求項９に記載の方法。
【請求項１１】
出力通過帯域信号を第二の基準信号と混合するステップが、下降変換混合であり、出力通過帯域信号内に第一の所定周波数で現れる選択キャリア信号が、第二の所定周波数で第二のＩＦ信号内に現れ、そして、前記第二の所定周波数が前記第一の所定周波数よりも低い請求項７に記載の方法。
【請求項１２】
第二のバンドパスフィルタによって第二のＩＦ信号を濾波するステップをさらに含む請求項７に記載の方法。
【請求項１３】
第二のバンドパスフィルタが、１５ＭＨｚと２１ＭＨｚの間の通過帯域を有する請求項１２に記載の方法。
【請求項１４】
第二のバンドパスフィルタが、２０ＭＨｚのカットオフ周波数を有するナイキストスロープフィルタである請求項１３に記載の方法。
【請求項１５】
ディジタルインターフェースを使って前記ＲＦ信号の混合のために前記第一の動作周波数の周波数を制御するステップをさらに備える請求項１に記載の方法。
【請求項１６】
前記ディジタルインターフェースが、集積回路バスを備える請求項１５に記載の方法。
【請求項１７】
前記ＲＦ信号の濾波が、固定入力カットオフ周波数フィルタを利用する請求項２に記載の方法。
【請求項１８】
前記減算的混合が、前記ＲＦ信号の第一の基準信号との混合によって、かつ周波数和信号成分を濾波することによって出力信号を発生する請求項４に記載の方法。
【請求項１９】
前記入力カットオフ周波数が固定である請求項７に記載の方法。
【請求項２０】
前記第一の基準信号が、外部ディジタル信号を印加することにより制御される請求項７に記載の方法。
【請求項２１】
前記ディジタル信号が、集積回路間バス信号から成る請求項２０に記載の方法。
【請求項２２】
増幅された第一の濾波信号の前記減算的混合は、周波数差信号成分が存在し、かつ周波数和信号成分が濾波される信号を発生する請求項７に記載の方法。
【請求項２３】
ＲＦ信号源に結合された受信機入力と、
第一の動作周波数を有する第一の基準信号と、
前記受信機入力に結合された第一の入力及び前記第一の基準信号に結合された第二の入力を有する第一のミキサーと、
前記第一のミキサーの出力に結合され、そして、一以上のチャンネルを通過させ、かつ部分的イメージ排除を実行すると共に全信号パワーレベルを制限して、後続回路により処理させる第一のバンドパスフィルタと、
第二の動作周波数を有する第二の基準信号と、
前記第一のバンドパスフィルタの出力に結合された第一の入力及び前記第二の基準信号に結合された第二の入力を有するイメージ排除ミキサーと、
から成るテレビチューナー。
【請求項２４】
前記第一のミキサーが減算的ミキサーである請求項２３に記載のテレビチューナー。
【請求項２５】
前記第一の基準信号の最小周波数値が、前記ＲＦ信号源から出力されたＲＦ信号の入力カットオフ周波数よりも大きい請求項２４に記載のテレビチューナー。
【請求項２６】
前記第一の動作周波数が、最小周波数値と最大周波数値の間で可変である請求項２３に記載のテレビチューナー。
【請求項２７】
前記第一のミキサーが前記第一の基準信号と前記ＲＦ信号源から受信したＲＦ信号を減算的に混合して、前記第一のミキサー出力上に第一のＩＦ信号を発生する請求項２６に記載のテレビチューナー。
【請求項２８】
前記ＲＦ信号内の選択キャリア周波数が、前記第一のＩＦ信号内に第一の所定周波数で現れる請求項２７に記載のテレビチューナー。
【請求項２９】
前記第一の所定周波数が、１２００ＭＨｚである請求項２８に記載のテレビチューナー。
【請求項３０】
前記選択キャリア周波数が、前記第一の動作周波数を変化させることにより選択される請求項２８に記載のテレビチューナー。
【請求項３１】
前記第一のミキサーが、入力カットオフ周波数以上の前記ＲＦ信号内の全ての周波数成分を排除する入力フィルタにより前記受信機入力に結合される請求項２７に記載のテレビチューナー。
【請求項３２】
前記第一の基準信号の前記最小周波数値が、前記入力カットオフ周波数よりも大きい請求項３１に記載のテレビチューナー。
【請求項３３】
前記第二のミキサーが、前記第二の基準信号と、前記第一のバンドパスフィルタの前記出力上の第一の濾波信号を混合して、第二のＩＦ信号を発生させる請求項２８に記載のテレビチューナー。
【請求項３４】
前記第二の動作週数が固定である請求項３３に記載のテレビチューナー。
【請求項３５】
前記ＲＦ信号内の前記選択キャリア周波数が、前記第二のＩＦ信号内に第二の所定周波数で現れる請求項３４に記載のテレビチューナー。
【請求項３６】
前記第一の基準信号の前記最小周波数値が、前記ＲＦ信号の入力カットオフ周波数よりも大きい請求項３４に記載のテレビチューナー。
【請求項３７】
前記テレビ受信機を制御するための外部制御信号を発生するためのディジタルインターフェースをさらに備える請求項２３に記載のテレビチューナー。
【請求項３８】
前記ディジタルインターフェースが、集積回路間バスを備える請求項３７に記載のテレビチューナー。
【請求項３９】
前記第一の基準信号、前記第一のミキサー、前記第一のバンドパスフィルタ、前記第二の基準信号、及び前記イメージ排除ミキサーが、テレビチューナーを形成する請求項２３に記載のテレビチューナー
【請求項４０】
前記第一のミキサー、前記第一のバンドパスフィルタ、及び前記イメージ排除ミキサーが、テレビ受信のために割り当てられた６ＭＨｚチャンネルの受信を提供する請求項２３に記載のテレビチューナー。
【請求項４１】
前記減算的ミキサーは、前記第一のミキサーの２つのミキサー信号の組み合わせによって創られた周波数差信号成分が前記第一のミキサーの出力信号内に存在し、かつ前記第一のミキサーの２つのミキサー信号の前記組み合わせによって創られた周波数和信号成分が前記第一のミキサーの前記出力信号に関して濾波される請求項２４に記載のテレビチューナー。
【請求項４２】
前記第一のミキサーは、前記第一のミキサーの２つのミキサー信号の組み合わせによって創られた周波数和信号成分を濾波するエレメントを備える請求項２３に記載のテレビチューナー。
【請求項４３】
前記第一のミキサー及び前記イメージ排除ミキサーが、差動ミキサーチェインを備える請求項２３に記載のテレビチューナー。
【請求項４４】
前記入力フィルタが、固定入力カットオフ周波数を形成する請求項３１に記載のテレビチューナー。
【請求項４５】
前記第一の動作周波数が可変であり、かつ前記第二の動作周波数が固定である請求項２３に記載のテレビチューナー。
【請求項４６】
前記第一のミキサー及び前記イメージ排除ミキサーが、同一サブストレート上に構成される請求項２３に記載のテレビチューナー。
【請求項４７】
前記第一のミキサーが、前記ＲＦ信号を増幅する入力増幅器によって前記受信機入力に結合される請求項２３に記載のテレビチューナー。
【請求項４８】
ＲＦ信号を受信するための受信機入力と、
前記受信機入力に結合され、かつ入力カットオフ周波数以上の前記ＲＦ信号内の全ての周波数成分を除去するよう動作する入力フィルタと、
第一の動作周波数を有する第一の基準信号と、
前記入力フィルタの出力に結合された第一の入力、及び前記第一の基準信号に結合された第二の入力を有する第一のミキサーと、
第二の動作周波数を有する第二の基準信号と、
前記第一のミキサーの出力に結合された第一の入力、及び前記第二の基準信号に結合された第二の入力を有する第二のミキサーと、を備え、
前記第二のミキサーがイメージ排除ミキサーであるテレビチューナー。
【請求項４９】
前記第一の動作周波数が、最小周波数値と最大周波数値との間で可変である請求項４８に記載のテレビチューナー。
【請求項５０】
前記最小周波数値が、前記入力カットオフ周波数よりも大きい請求項４９に記載のテレビチューナー。
【請求項５１】
前記第一のミキサーが、前記第一の動作信号と前記濾波されたＲＦ信号を減算的に混合して、前記第一のミキサー出力に第一のＩＦ信号を発生する請求項４８に記載のテレビチューナー。
【請求項５２】
前記第二のミキサーが、前記第一のミキサーからの第一のＩＦ信号と、前記第二の基準信号を混合して、第二のＩＦ信号を発生し、かつ、前記第二のミキサーが、前記第二のＩＦ信号から前記第二の基準信号のイメージ信号を排除する請求項４８に記載のテレビチューナー。
【請求項５３】
前記第二のミキサーが、前記第一のミキサーからの第一ＩＦ信号と、前記第二の基準信号を混合して、第二のＩＦ信号を発生し、かつ、前記第二のミキサーが、前記第二のＩＦ信号から前記第一のＩＦ信号のイメージ信号を排除する請求項４８に記載のテレビチューナー。
【請求項５４】
前記第一のミキサーが、第一のＩＦ信号を発生し、かつ前記ＲＦ信号内の選択キャリア周波数が、前記第一のＩＦ信号内に第一の所定周波数で現れる請求項４８に記載のテレビチューナー。
【請求項５５】
前記第二のミキサーが第二のＩＦ信号を発生し、かつ前記ＲＦ信号内の前記選択キャリア周波数が、前記第二のＩＦ信号内に第二の所定周波数で現れる請求項５４に記載のテレビチューナー。
【請求項５６】
前記第一のミキサー及び前記第二のミキサーが、物理的に同一集積回路サブストレート上に位置している請求項４８に記載のテレビチューナー。
【請求項５７】
前記第二のミキサーの出力に結合された第二のフィルタをさらに備える請求項４８に記載のテレビチューナー。
【請求項５８】
前記第二のフィルタが、ナイキストスロープフィルタである請求項５７に記載のテレビチューナー。
【請求項５９】
前記第二のフィルタが、前記第二のミキサーによって発生したＩＦ信号のビジュアルキャリア周波数で−６ｄＢゲイン点を有する請求項５８に記載のテレビチューナー。
【請求項６０】
前記ビジュアルキャリア周波数が、略２０ＭＨｚであり、かつ前記第二のフィルタが、略１９．２５ＭＨｚの通過帯域コーナー周波数を有する請求項５９に記載のテレビチューナー。
【請求項６１】
前記第二のフィルタが、前記第二のフィルタの入力で、かつ前記第二のフィルタの出力で同期化パルスのレベルを測定することにより、そして前記第二のフィルタの前記出力で６ｄＢ損失となるように前記第二のフィルタのカットオフ周波数を調整することにより、自動的に同調される請求項５７に記載のテレビチューナー。
【請求項６２】
前記テレビチューナーは、前記第二のフィルタの出力に結合された第二の増幅器をさらに備える請求項５７に記載のテレビチューナー。
【請求項６３】
前記第二の増幅器のゲインが、前記テレビチューナーの自動ゲイン制御回路によって自動的に制御される請求項６２に記載のテレビチューナー。
【請求項６４】
前記テレビチューナーはさらに、
前記第二の増幅器の出力に結合された第三のフィルタを備え、該第三のフィルタは、前記第二の増幅器の出力信号からビデオキャリア信号を抽出するためのバンドパスフィルタであり、そして、
第一の入力及び第二の入力を有する第三のミキサーを備え、前記第三のミキサーの前記第一の入力は、前記第二の増幅器の第二の出力に結合され、かつ前記第三のミキサーの前記第二の入力は、前記第三のフィルタの出力に結合され、そして、前記第三のミキサーの出力上の出力信号は、ビデオベースバンド信号である、請求項６２に記載のテレビチューナー。
【請求項６５】
前記第三のミキサーの前記第二の入力が、振幅制限回路によって前記第三のフィルタに結合され、前記振幅制限回路が、前記第３のミキサーに固定振幅基準キャリア信号を供給する請求項６４に記載のテレビチューナー。
【請求項６６】
前記テレビチューナーはさらに、第一の入力及び第二の入力を有する周波数検出回路を備え、前記周波数検出回路の前記第一の入力は、前記第三のフィルタの前記出力に結合され、かつ、前記周波数検出回路の前記第二の入力は、第三の動作周波数を有する第三の基準信号に結合される請求項６４に記載のテレビチューナー。
【請求項６７】
前記周波数検出回路が、前記ビデオキャリア信号の周波数を、前記第三の動作周波数に比較して、出力制御信号を発生し、前記出力制御信号が前記第一の基準信号の前記第一の動作周波数を制御するために使用される請求項６６に記載のテレビチューナー。
【請求項６８】
前記テレビチューナーはさらに、前記第三のミキサーの前記出力に結合される第四のフィルタを備え、前記第四のフィルタは、前記ビデオベースバンド信号よりも高い周波数の全ての信号成分をカットオフするローパスフィルタである請求項６４に記載のテレビチューナー。
【請求項６９】
前記テレビチューナーはさらに、前記第四のフィルタから前記ビデオベースバンド信号内の同期化パルスをクランプするためのクランプ回路を含む請求項６８に記載のテレビチューナー。
【請求項７０】
前記テレビチューナーはさらに、前記クランプ回路に結合されたノイズインバータ回路を備え、前記ノイズインバータ回路は、前記ビデオベースバンド信号から過渡ノイズパルスを除去する請求項６９に記載のテレビチューナー。
【請求項７１】
前記過渡ノイズパルスは、前記ビデオベースバンド信号を前記ビデオベース信号のブランキングレベル以下に降下させる過渡ノイズパルスから成る請求項７０に記載のテレビチューナー。
【請求項７２】
前記過渡ノイズパルスが、前記ビデオベースバンド信号を、前記ビデオベース信号の１０８ＩＲＥホワイトレベル以上に上昇させる過渡ノイズパルスから成る請求項７０に記載のテレビチューナー。
【請求項７３】
前記テレビチューナーはさらに、前記第三のミキサーの前記出力に結合された自動利得制御回路を備え、前記自動利得制御回路が前記第二の増幅器の利得を制御する請求項６４に記載のテレビチューナー。
【請求項７４】
前記自動利得制御回路が、前記第一の増幅器の利得を制御する請求項７３に記載のテレビチューナー。
【請求項７５】
前記自動利得制御回路が、差動増幅器の第一の入力に結合されたサンプルホールド回路を備える請求項７３に記載のテレビチューナー。
【請求項７６】
前記差動増幅器の第二の入力が、標準ＮＴＳＣビデオベースバンド信号の出力ブランキングレベルに等しい基準電圧に結合される請求項７５に記載のテレビチューナー。
【請求項７７】
前記テレビチューナーはさらに、前記第三のミキサーの前記出力に結合されたビデオ出力バッファ増幅器を備える請求項６４に記載のテレビチューナー。
【請求項７８】
前記ビデオ出力バッファ増幅器が、リニアトランスコンダクタンス増幅器を備える請求項７７に記載のテレビチューナー。
【請求項７９】
前記ビデオ出力バッファ増幅器はさらに、前記ビデオ出力バッファ増幅器の出力信号を、ビデオブランキングレベルにセットするためのブランキング手段を備える請求項７８に記載のテレビチューナー。
【請求項８０】
前記ビデオ出力バッファ増幅器はさらに、前記ビデオ出力バッファ増幅器の出力負荷を可変するためのスイッチング手段を備える請求項７９に記載のテレビチューナー。
【請求項８１】
前記テレビチューナーはさらに、前記第二の増幅器の出力に結合された第三のフィルタを備え、前記第三のフィルタは、前記第二の増幅器の前記出力上のビデオ出力信号からオーディオ成分信号を濾波するための狭帯域フィルタである請求項６２に記載のテレビチューナー。
【請求項８２】
前記第三のフィルタが、１５．５ＭＨｚの中心周波数及び３００ＫＨｚの帯域幅を有する請求項８１に記載のテレビチューナー。
【請求項８３】
前記テレビチューナーはさらに、
前記第三のフィルタの出力に結合されたオーディオ位相検出回路と、
第一の入力及び第二の入力を有する第三のミキサーと、を備え、
前記第三のミキサーの前記第一の入力が、前記第三のフィルターの前記出力に結合され、かつ、前記第三のミキサーの前記第二の入力が前記オーディオ位相検出回路の出力に結合される、請求項８１に記載のテレビチューナー。
【請求項８４】
前記オーディオ位相検出回路は、ディレイロックループを備え、該ディレイロックループの出力信号は、前記第三のフィルタの前記出力上の前記オーディオ成分信号の中心周波数と直交位相で動作する請求項８３に記載のテレビチューナー。
【請求項８５】
前記テレビチューナーはさらに、前記第三のミキサーの出力に結合された第四のフィルタを備え、前記第四のフィルタは、１２０ＫＨｚのカットオフ周波数を持つローパスフィルタである請求項８３に記載のテレビチューナー。
【請求項８６】
前記テレビチューナーはさらに、前記第三のミキサーの出力に結合されたオーディオ出力バッファ増幅器を備える請求項８３に記載のテレビチューナー。
【請求項８７】
前記オーディオ出力バッファ増幅器が、リニアトランスコンダクタンス増幅器から成る請求項８６に記載のテレビチューナー。
【請求項８８】
前記オーディオ出力バッファ増幅器はさらに、前記オーディオ出力バッファ増幅器の出力信号をゼロボルトにセットするためのミュート手段を備える請求項８６に記載のテレビチューナー。
【請求項８９】
前記オーディオ出力バッファ増幅器はさらに、前記オーディオ出力バッファ増幅器の出力負荷を可変するためのスイッチング手段を備える請求項８６に記載のテレビチューナー。
【請求項９０】
前記入力カットオフ周波数が固定である請求項４８に記載のテレビチューナー。
【請求項９１】
ディジタルインターフェースをさらに備え、前記第一の基準信号の前記第一の動作周波数が、前記ディジタルインターフェースに印加された信号によって制御される請求項４８に記載のテレビチューナー。
【請求項９２】
前記ディジタルインターフェースは、集積回路間バスを備える請求項９１に記載のテレビチューナー。
【請求項９３】
前記受信機入力、前記入力フィルタ、前記第一の基準信号、前記第一のミキサー、前記第二の基準信号、及び前記第二のミキサーがテレビチューナーを形成する請求項４８に記載のテレビチューナー。
【請求項９４】
前記受信機入力、前記入力フィルタ、前記第一のミキサー、及び前記第二のミキサーが、テレビ受信のために割り当てられた６ＭＨｚチャンネルの受信を提供する請求項４８に記載のテレビチューナー。
【請求項９５】
前記第一のミキサーの前記減算的混合が、周波数和信号を濾波し、かつ周波数差信号を前記第一のミキサーの出力信号として供給する請求項５０に記載のテレビチューナー。